(57)【特許請求の範囲】
【請求項１】
バッチ炉の炉床にスラブを配置して加熱を行うにあたり、前記炉床へのスラブの配置状態を設定するために計算機によって実行するバッチ炉スラブ配置方法であって、
任意の１スラブを特定スラブとした場合に、前記特定スラブと組合せて前記バッチ炉内で加熱可能な組合せ可能スラブを組合せ可能スラブ群として抽出し、
前記特定スラブ及び前記組合せ可能スラブの寸法から各スラブの形状を図形化し、
前記特定スラブの予め設定された規定位置が、前記炉床の予め設定された規定位置になるようにして、その特定スラブを描画された炉床に配置して、その配置された特定スラブを前記図形化された状態で表示機能によって前記描画された炉床の上に表示し、
残りの前記組合せ可能スラブ群のうち、表面面積が最大のスラブを選出し、
前記選出されたスラブに対して予め設定される規定位置が、前記描画された炉床に先に配置されたスラブに対して予め設定される規定位置になるようにして、前記選出されたスラブを前記描画された炉床に配置して、その配置されたスラブを前記図形化された状態で前記表示機能によって前記描画された炉床の上に表示し、
前記選出されたスラブが前記図形化された状態で前記描画された炉床の上に表示された場合には当該選出されたスラブを前記組合せ可能スラブ群から除外し、
次いで残りの前記組合せ可能スラブのうち、表面面積が最大のスラブを選出して、先に選出されたスラブと同様に配置、表示、除外し、
前記スラブの選出、配置、表示、除外を前記描画された炉床にスラブを配置できなくなるまで繰り返す演算処理を行う
ことを特徴とするバッチ炉スラブ配置方法。
【請求項２】
前記選出されたスラブに対して予め設定される規定位置の対角位置が前記表示機能によって描画された前記バッチ炉の炉壁と干渉する場合、前記表示機能によって前記描画された炉床の上の当該スラブの表示を消去してから当該スラブを前記組合せ可能スラブ群から除外する
ことを特徴とする請求項１に記載のバッチ炉スラブ配置方法。
【請求項３】
前記選出されたスラブに対して予め設定される規定位置が、前記描画された炉床に先に配置されたスラブに対して予め設定された規定位置になるようにして、前記選出されたスラブを前記描画された炉床に配置する場合に、
前記描画された炉床に先に配置されたスラブに対して、前記炉床の予め設定された直交二方向のうち少なくとも何れか一方に予め設定された規定距離だけ離れて前記選出されたスラブが配置される位置を前記規定位置とする
ことを特徴とする請求項２に記載のバッチ炉スラブ配置方法。
【請求項４】
前記描画された炉床に先に配置されたスラブに対して予め設定される規定位置が２以上あるとき、その夫々の規定位置に対して前記選出されたスラブを配置し、
前記２以上の規定位置のうち、スラブの配置されていない部分の前記描画された炉床の方形な炉床面積が最大となる最大スラブの配置位置を選択する
ことを特徴とする請求項３に記載のバッチ炉スラブ配置方法。
【請求項５】
前記特定スラブ又は前記選出されたスラブの全ての規定位置に対する全ての対角位置が前記描画されたバッチ炉の炉壁と干渉している場合、演算処理を終了する
ことを特徴とする請求項４に記載のバッチ炉スラブ配置方法。
【発明の詳細な説明】
【技術分野】
【０００１】
本発明は、スラブ（鋼片）を炉床に配置して加熱を行う加熱炉に関し、特にバッチ炉の炉床へのスラブの配置状態を設定するバッチ炉スラブ配置方法に関するものである。
【背景技術】
【０００２】
加熱炉におけるスラブの配置方法としては、例えば下記特許文献１に記載されるものがある。この加熱炉内スラブ配置方法では、スラブを連続して搬送する連続加熱炉（以下、連続炉とも記す）において、スラブの長さが他のスラブよりも短い場合、長いスラブ同士の間の間隔よりも短いスラブと長いスラブとの間の間隔を大きくすることにより、スラブの処理能力を低下させず、且つスラブの長手方向の温度差を小さくすることができるとしている。
【先行技術文献】
【特許文献】
【０００３】
【特許文献１】特開２００２−３０９３１６号公報
【発明の概要】
【発明が解決しようとする課題】
【０００４】
しかしながら、前記特許文献１に記載される加熱炉内スラブ配置方法は、連続炉におけるスラブの配置方法であって、スラブを炉床に配置した（置いたままの）状態で加熱を行うバッチ炉内のスラブ配置方法ではない。製鉄所におけるスラブの加熱は、その殆どが連続炉によるものであり、バッチ炉内で行うものは少ない。そのためもあって、従来、バッチ炉におけるスラブの配置状態は、オペレータが考えて設定していた。具体的には、スラブの諸元に基づいて炉床を模した紙上にスラブを図示し、できるだけ燃料原単位を低減するようにスラブの配置状態を設定している。しかしながら、このような手計算によるスラブ配置状態設定方法は、手間と時間を要し、効率的でない。
本発明は、上記のような問題点に着目してなされたものであり、計算機による自動化を可能として効率化を図ることができるバッチ炉スラブ配置方法を提供することを目的とするものである。
【課題を解決するための手段】
【０００６】
本発明の別の態様に係るバッチ炉スラブ配置方法は、バッチ炉の炉床にスラブを配置して加熱を行うにあたり、前記炉床へのスラブの配置状態を設定するために計算機によって実行するバッチ炉スラブ配置方法であって、任意の１スラブを特定スラブとした場合に、前記特定スラブと組合せて前記バッチ炉内で加熱可能な組合せ可能スラブを組合せ可能スラブ群として抽出し、前記特定スラブ及び前記組合せ可能スラブの寸法から各スラブの形状を図形化し、前記特定スラブの予め設定された規定位置が、前記炉床の予め設定された規定位置になるようにして、その特定スラブを描画された炉床に配置して、その配置された特定スラブを前記図形化された状態で表示機能によって前記描画された炉床の上に表示し、残りの前記組合せ可能スラブ群のうち、表面面積が最大のスラブを選出し、前記選出されたスラブに対して予め設定される規定位置が、前記描画された炉床に先に配置されたスラブに対して予め設定される規定位置になるようにして、前記選出されたスラブを前記描画された炉床に配置して、その配置されたスラブを前記図形化された状態で前記表示機能によって前記描画された炉床の上に表示し、前記選出されたスラブが前記図形化された状態で前記描画された炉床の上に表示された場合には当該選出されたスラブを前記組合せ可能スラブ群から除外し、次いで残りの前記組合せ可能スラブのうち、表面面積が最大のスラブを選出して、先に選出されたスラブと同様に配置、表示、除外し、前記スラブの選出、配置、表示、除外を前記描画された炉床にスラブを配置できなくなるまで繰り返す演算処理を行うことを特徴とする。
【０００７】
なお、本発明におけるスラブの表面面積とは、後述するようにスラブをバッチ炉の炉床に配置したとき、当該スラブの表面の面積であり、炉床における当該スラブの専有面積と同義である。
また、前記選出されたスラブに対して予め設定される規定位置の対角位置が前記表示機能によって描画された前記バッチ炉の炉壁と干渉する場合、前記表示機能によって前記描画された炉床の上の当該スラブの表示を消去してから当該スラブを前記組合せ可能スラブ群から除外することが望ましい。
【０００８】
また、前記選出されたスラブの規定位置が、前記描画された炉床に先に配置されたスラブに対して予め設定された規定位置になるようにして、前記選出されたスラブを前記描画された炉床に配置する場合に、前記描画された炉床に先に配置されたスラブに対して、前記炉床の予め設定された直交二方向のうち少なくとも何れか一方に予め設定された規定距離だけ離れて前記選出されたスラブが配置される位置を前記規定位置とすることが望ましい。
【０００９】
また、前記描画された炉床に先に配置されたスラブに対して予め設定される規定位置が２以上あるとき、その夫々の規定位置に対して前記選出されたスラブを配置し、前記２以上の規定位置のうち、スラブの配置されていない部分の前記描画された炉床の方形な炉床面積が最大となる最大スラブの配置位置を選択することが望ましい。
また、前記特定スラブ又は前記選択されたスラブの全ての規定位置に対する全ての対角位置が前記描画されたバッチ炉の炉壁と干渉している場合、演算処理を終了することが望ましい。
【発明の効果】
【００１０】
而して、本発明のバッチ炉スラブ配置方法によれば、バッチ炉の炉床にスラブを配置して加熱を行うにあたり、炉床へのスラブの配置状態を設定するために演算機能及び表示機能を有する計算機によって実行する。その際、炉床面積に対する配置全スラブの占有面積の和の比をカバーレシオとしたとき、そのカバーレシオが最大となるように、炉床へのスラブの配置状態を設定するための演算処理を行う。このバッチ炉スラブ配置方法では、例えば特定スラブと組合せてバッチ炉内で加熱可能な組合せ可能スラブを抽出し、特定スラブ及び組合せ可能スラブの寸法から各スラブの形状を図形化する。次に、特定スラブの予め設定された規定位置が、炉床の予め設定された規定位置になるようにして、特定スラブを炉床に配置して、その配置された特定スラブを図形化された状態で描画された炉床の上に表示する。次に、残りの組合せ可能スラブ群のうち、炉床に配置した状態での占有面積が最大の組合せ可能スラブを選出し、そのスラブの予め設定される規定位置が、描画された炉床に先に配置されたスラブに対して予め設定される規定位置になるようにして、選出されたスラブを炉床に配置して、その配置されたスラブを図形化された状態で描画された炉床の上に表示し、そのスラブが図形化された状態で表示された場合には当該スラブを組合せ可能スラブ群から除外する。次いで、残りの組合せ可能スラブ群から専有面積が最大のスラブを選出し、先に選出されたスラブと同様に、配置、表示、除外を行う。そして、描画された炉床にスラブを配置できなくなるまで、スラブの選出からスラブの除外までを繰り返す。そのため、バッチ炉の炉床面積を有効利用しながら、スラブ配置設定の自動計算が可能となり、効率化を図ることができる。
【００１１】
また、選出されたスラブの規定位置の対角位置が描画されたバッチ炉の炉壁と干渉している場合、描画された炉床上に配置された当該スラブの表示を消去してから当該スラブを組合せ可能スラブ群から除外する。そのため、バッチ炉の炉床には、バッチ炉の炉壁と干渉しないスラブが占有面積の大きい順に配置されることとなり、結果的にカバーレシオを最大にすることが可能となる。
【００１２】
また、選出されたスラブの規定位置が、描画された炉床に先に配置されたスラブに対して予め設定された規定位置になるようにして、当該選出されたスラブを描画された炉床に配置する場合に、描画された炉床に先に配置されたスラブに対して、炉床の予め設定された直交二方向のうちの少なくとも一方向に予め設定された規定距離だけ離れて選出されたスラブが配置される位置を規定位置とする。そのため、描画された炉床に先に配置されたスラブに対して、直交二方向の何れかの方向に、占有面積の大きい順にスラブを配置することができ、これによりカバーレシオを最大とすることが可能となる。
【００１３】
また、描画された炉床に先に配置されたスラブに対して予め設定される規定位置が２以上あるとき、その夫々の規定位置に対して選出されたスラブを配置し、それら２以上の規定位置のうち、スラブの配置されていない部分の炉床の方形な炉床面積が最大となるスラブの配置位置を選択する。そのため、次のスラブを配置する前の炉床面積を最大とすることができるから、次に炉床に配置されるスラブの占有面積を大きくすることが可能となり、これによりカバーレシオを最大とすることが可能となる。
【００１４】
また、特定スラブ又は選出されたスラブの全ての規定位置に対する全ての対角位置が描画されたバッチ炉の炉壁と干渉している場合、演算処理を終了する。そのため、特に管理や急を要する特定スラブや選出されたスラブについて、予め設定された規定位置に配置しても、当該特定スラブや選出されたスラブの規定位置の対角位置が描画されたバッチ炉の炉壁と干渉するような場合、それらのスラブを異なる姿勢で炉床に配置することができ、そのようなスラブについてもバッチ炉で加熱を行うことができる。
【００１５】
また、スラブは炉床に設置されている少なくとも２本以上のスキッド上に配置する必要があるため、２本以上のスキッド上に配置できない場合には別方向への配置を検討する。さらに別方向への配置が２本以上のスキッド上に置けないあるいは炉壁と干渉する場合には、当該スラブを配置の対象から除外する。
【図面の簡単な説明】
【００１６】
【図１】本発明のスラブ配置方法が適用されたバッチ炉の平面図である。
【図２】図１のバッチ炉のＡ−Ａ断面図である。
【図３】図１、図２のプロセスコンピュータで行われるバッチ炉内スラブ配置状態設定のための演算処理を示すフローチャートである。
【図４】図３の演算処理の説明図である。
【図５】図３の演算処理の説明図である。
【図６】図３の演算処理の説明図である。
【図７】図３の演算処理の効果の説明図である。
【発明を実施するための形態】
【００１７】
次に、本発明のバッチ炉スラブ配置方法の一実施形態について図面を参照しながら説明する。バッチ炉は、連続炉（連続加熱炉）と異なり、加熱雰囲気を大幅に変更することが可能であり、換言すれば、特別な加熱雰囲気とすることが可能であり、そのため、特殊な加熱を必要とする特別管理スラブや特に急を要する特急スラブなどの加熱に適している。また、連続炉で加熱できない大きさのスラブも、炉床面積の大きなバッチ炉であれば加熱可能である。
【００１８】
図１は、本実施形態のスラブ配置方法を適用したバッチ炉の平面図であり、図２は、図１のバッチ炉のＡ−Ａ断面図である。本実施形態のバッチ炉は、平面視で長方形な所謂箱形バッチ炉であり、図１では、図の横方向に炉床１が長手である。以下、炉床１の長手方向（長辺方向）を炉長方向、その直交方向、即ち炉床１の短辺方向を炉幅方向と称する。箱形バッチ炉では、炉床１の四辺には炉壁２が立設されている。なお、本実施形態における炉床１の炉長寸法は７５００ｍｍ、炉幅寸法は５８００ｍｍである。
【００１９】
図１及び図２は、バッチ炉の炉蓋（天井壁）を外した状態を示している。本実施形態のバッチ炉は、例えば炉蓋を炉長方向にスライドできるように構成されており、炉蓋が外れている状態で、天井クレーンで吊ったスラブＳを炉床１に配置したあと、炉蓋をスライドして炉を覆う。炉壁２にはバーナ３が配置されており、このバーナ３で炉内を加熱してスラブＳの加熱を行う。バッチ炉内の排ガスは、炉床１に設けられた排気口４から排気される。
【００２０】
本実施形態のバッチ炉は、製鉄所内にあり、製鉄所内の他の設備と同様に、プロセスコンピュータ（計算機）５によって制御される。プロセスコンピュータ５は、周知のように、種々の演算機能を有するほか、本実施形態では画面６への表示機能も有する。なお、表示機能は、画面への表示機能に代えて又は加えて印刷媒体への印刷機能などであってもよい。このプロセスコンピュータ５では、例えばバーナ３の燃焼状態を制御して、バッチ炉内の加熱雰囲気を制御する。
【００２１】
バッチ炉では、例えば図１、図２に示すように、炉床１にスラブＳを配置した状態で加熱を行うのであるが、図のようにスラブＳを１つだけ配置して加熱を行ったのでは、スラブ単位重量当たりの燃料消費量、所謂燃料原単位が大きくなってしまって無駄が多い。そこで、バッチ炉による加熱では、できるだけ多くのスラブＳを炉床１に配置した状態で加熱を行うのが理想的であり、バッチ炉内スラブ配置の目的はバッチ炉加熱における燃料原単位を低減することであるともいえる。
【００２２】
そこで、本実施形態では、バッチ炉の炉床に複数のスラブを配置して加熱を行うに当たり、プロセスコンピュータ５で行う演算処理によって、バッチ炉内におけるスラブの配置状態を自動設定する。この演算処理は、例えば図３のフローチャートに基づいて行われ、その主たる目的は、炉床面積に対する全配置スラブの占有面積の和の比からなるカバーレシオを最大にすることであり、このカバーレシオを最大とすることでバッチ炉加熱における燃料原単位を最小化することが可能となる。
【００２３】
また、プロセスコンピュータ５の画面６には、炉床１が例えば図６に示すように表示されている。本実施形態では、炉床１の炉幅方向を横軸に、炉長方向を縦軸に設定して表示しており、この炉床１の表示画面上にスラブを図形化して表示する。なお、実際には、スラブを２段、或いは３段重ねにして加熱を行う場合もある。
この演算処理は、図３に示すように、例えばオペレータによる演算処理開始指令と共に開始され、まずステップＳ１で、特定スラブが規定されているか否かを判定し、特定スラブが規定されていない場合には待機し、そうでない場合にはステップＳ２に移行する。特定スラブとは、例えば前述の特別管理スラブや特急スラブなどを示し、本実施形態ではオペレータの入力によって規定されるものとした。なお、特定スラブの規定には、例えば熱間圧延ラインとの連携によって、次に熱間圧延ラインに要求されるスラブを特定スラブに自動規定するようにしてもよい。
【００２４】
ステップＳ２では、プロセスコンピュータ５内に記憶されているバッチ炉での加熱スラブのうち、前記ステップＳ１で規定された特定スラブと組合せてバッチ炉内で加熱可能な組合せ可能スラブを組合せ可能スラブ群として抽出する。この組合せ可能スラブには、スラブの素材、スラブの諸元、特にスラブの厚さ、スラブの納期などが勘案され、特定スラブと同じ加熱プロファイルで且つ同じ加熱時間で所望性状を達成可能なスラブが選ばれる。
【００２５】
次にステップＳ３に移行して、前記ステップＳ１で規定された特定スラブ及び前記ステップＳ２で抽出された組合せ可能スラブの寸法に基づいて、各スラブを図形化する。このスラブの図形化に際しては、前述した画面６上の炉床１の図形と縮尺を合わせ、炉床１にスラブを規定姿勢で配置したときの形状を図形化する。また、各スラブの図形化に際しては、諸元として予め得た寸法よりも、実際の各スラブの寸法（実寸）を用いるのが望ましい。
【００２６】
次にステップＳ４に移行して、特定スラブの予め設定された規定位置が炉床１の予め設定された規定位置になるようにして当該特定スラブを炉床１に配置し、その配置された特定スラブを図形化された状態で画面６に描画された炉床１の上に表示する。前述のように、本実施形態では、各スラブの長さ方向を炉床１の炉幅方向に向け、各スラブの幅方向を炉床１の炉長方向に向けて配置することを規定姿勢とする。その場合、特定スラブの規定位置とは、図４に示すように、画面上で見たときの図示下側の長辺と図示左側の短辺との交点となる特定スラブＳの四隅の一角とする。一方、炉床１の予め設定された規定位置とは、同じく図４に示すように、画面上で見たときの図示下側の炉壁２と図示左側の炉壁２との交点となる炉床１の四隅の一角に対し、そこから炉幅方向に規定距離ＬＨ、炉長方向に規定距離ＬＣだけ離れた位置とする。なお、特定スラブの規定姿勢は前記に限定されるものではなく、例えば特定スラブの長さ方向を炉床の炉長方向に向け、特定スラブの幅方向を炉幅方向に向けて配置してもよい。また、同様に、炉床の予め設定された規定位置も、前記に限定されるものではない。
【００２７】
次にステップＳ５に移行して、前記ステップＳ４で炉床１に配置された特定スラブの規定位置の対角位置がバッチ炉の炉壁と干渉していないか否かを判定し、特定スラブの規定位置の対角位置がバッチ炉の炉壁と干渉していない場合にはステップＳ６に移行し、そうでない場合には演算処理を終了する。特定スラブの規定位置の対角位置とは、前述からも明らかなように、図４に示す特定スラブＳの図示上側の長辺と図示右側の短辺との交点となるスラブの四隅の一角である。なお、特定スラブを規定姿勢で炉床１に配置して、その対角位置が炉壁と干渉するということは、規定姿勢では特定スラブを炉床１に配置できないことを意味するから、特定スラブを規定姿勢以外の姿勢で炉床１に配置しなければならない。そのような場合には、例えば前述の規定姿勢と直交する配置姿勢を規定姿勢に自動設定したり、別途オペレータが特定スラブの配置姿勢を設定したりするなどの方法が考えられる。
【００２８】
前記ステップＳ６では、残りの組合せ可能スラブのうち、炉床１での占有面積が最大の組合せ可能スラブを最大スラブ（残りのスラブのうち、炉床占有面積が最大のもの。炉床占有面積＝幅×長さ）として選出し、その最大スラブの規定位置が、先に配置されたスラブに対して、予め設定される規定位置になるようにして当該最大スラブを規定姿勢に配置し、画面６の炉床１上に図形状態で表示する。最大スラブの規定位置とは、前記特定スラブの規定位置と同様、図５に示すように、画面上で見たときの図示下側の長辺と図示左側の短辺との交点となる最大スラブＳの四隅の一角とする。一方、先に配置されたスラブに対して予め設定される規定位置とは、例えば図５に示すように、先に配置されたスラブ、この場合は特定スラブＳの画面上で見たときの図示上側の長辺と図示左側の短辺の交点となる特定スラブＳの四隅の一角に対し、そこから炉長方向に規定距離ＬＣだけ離れ、且つ画面上で見たときの図示左側の炉壁２又は先に配置されたスラブＳの図示右側の短辺から炉幅方向に規定距離ＬＨだけ離れた位置とする。なお、最大スラブの規定姿勢は前記に限定されるものではなく、例えば最大スラブの長さ方向を炉床の炉長方向に向け、最大スラブの幅方向を炉幅方向に向けてもよい。また、同様に、先に配置されたスラブに対する規定位置も、前記に限定されるものではない。また、直前に配置されたスラブよりも、次に配置されるスラブの長さが短いことを規定するようにしてもよい。
【００２９】
次にステップＳ７に移行して、前記ステップＳ６で炉床１に配置された最大スラブの規定位置の対角位置がバッチ炉の炉壁や他のスラブと干渉していないか否かを判定し、最大スラブの規定位置の対角位置がバッチ炉の炉壁や他のスラブと干渉していない場合にはステップＳ９に移行し、そうでない場合にはステップＳ８に移行する。最大スラブの規定位置の対角位置とは、前述からも明らかなように、図５に示す最大スラブＳの図示上側の長辺と図示右側の短辺との交点となるスラブの四隅の一角である。
【００３０】
前記ステップＳ８では、前記ステップＳ６で画面６の炉床１上に配置された最大スラブの図形状態の表示を消去してから前記ステップＳ９に移行する。
前記ステップＳ９では、前記ステップＳ６で選出した最大スラブを組合せ可能スラブ群から除外する。
次にステップＳ１０に移行して、組合せ可能スラブ群に組合せ可能スラブが残っていないか否かを判定し、組合せ可能スラブ群に組合せ可能スラブが残っていない場合には演算処理を終了し、そうでない場合には前記ステップＳ６に移行する。
【００３１】
この演算処理では、特定スラブが規定された後、その特定スラブと組合せてバッチ炉で加熱可能な組合せ可能スラブが組合せ可能スラブ群として抽出される。そして、図６に示すように、長さ方向を炉幅方向、幅方向を炉長方向に向けて特定スラブＳを配置表示した後、例えば図６に第１〜第４で示す最大スラブＳが占有面積の大きい順に、長さ方向を炉幅方向に向けて、炉長方向に並べて配置表示される。もし、図６の第４の最大スラブＳの次に占有面積の大きい第５の最大スラブＳを炉長方向に並べて配置表示した結果、その第５の最大スラブＳの規定位置の対角位置が図示上側の炉壁２と干渉する場合、当該第５の最大スラブＳの表示が消去されると共に当該第５の最大スラブが組合せ可能スラブ群から除外される。もし、図６の図示上側の炉壁２と対角位置が干渉しない最大スラブがあれば、その最大スラブが第４の最大スラブの図示上側に配置表示される。更に、それ以後、図６の図示上側の炉壁と対角位置が干渉しない最大スラブがなければ、組合せ可能スラブ群に組合せ可能スラブがなくなるまで、配置表示の消去と最大スラブの除外が繰り返される。
【００３２】
このようにして特定スラブに次いで最大スラブを占有面積の大きい順に炉長方向に並べ終わったら、除外された最大スラブ、即ち画面６の炉長１上に表示されていない最大スラブを復帰して組合せ可能スラブ群を再編成する。この再編成された組合せ可能スラブ群から、占有面積が最大の最大スラブを選出し、その最大スラブの規定位置が先に配置されたスラブに対して炉幅方向及び炉長方向の規定位置になるようにして当該最大スラブが配置表示される。このとき、先に配置されたスラブに対する炉幅方向及び炉長方向の規定位置は、前述したように何れかのスラブの図示上側の長辺から炉長方向に規定距離ＬＣだけ離れ、何れかのスラブの図示右側の短辺から炉幅方向に規定距離ＬＨだけ離れた位置としている。
【００３３】
例えば、図６の第４の最大スラブＳの次に占有面積の大きな第５の最大スラブＳを配置しようとするとき、当該第５の最大スラブＳの規定位置としては、特定スラブＳの図示上側の長辺から炉長方向に規定距離ＬＣだけ離れ且つ第１の最大スラブＳの図示右側の短辺から炉幅方向に規定距離ＬＨだけ離れた第１の位置と、第１の最大スラブの図示上側の長辺から炉長方向に規定距離ＬＣだけ離れ且つ第２の最大スラブの図示右側の短辺から炉幅方向に規定距離ＬＨだけ離れた第２の位置の２カ所が存在する（厳密には、それら以外にも存在する）。これらの規定位置に対して第５の最大スラブＳを配置表示した場合、図に二点鎖線で示すように、第１の規定位置に配置表示しようとする第５の最大スラブＳは図示右側の炉壁２と干渉する。そのため、第５の最大スラブＳは、第１の最大スラブの図示上側の長辺から炉長方向に規定距離ＬＣだけ離れ且つ第２の最大スラブの図示右側の短辺から炉幅方向に規定距離ＬＨだけ離れた第２の規定位置に配置表示し、第１の規定位置に配置表示された第５の最大スラブは消去される。
【００３４】
また、第５の最大スラブＳの次に占有面積の大きな第６の最大スラブＳを一点鎖線で示すように配置しようとする場合、この第６の最大スラブＳの規定位置は、第５の最大スラブＳの図示上側の長辺から炉長方向に規定距離ＬＣだけ離れ且つ第２の最大スラブＳの図示右側の短辺から炉幅方向に規定距離ＬＨだけ離れた第１の位置と、第２の最大スラブの図示上側の長辺から炉長方向に規定距離ＬＣだけ離れ且つ第３の最大スラブの図示右側の短辺から炉幅方向に規定距離ＬＨだけ離れた第２の位置の２カ所が存在する（厳密には、それら以外にも存在する）。これらの規定位置に対して第６の最大スラブＳを配置表示した場合、図に破線で示すスラブの配置されていない部分の方形な炉床面積は、第２の規定位置に第６の最大スラブＳを配置表示したときよりも、第１の規定位置に第６の最大スラブＳを配置表示したときの方が大きい。従って、このような場合には、スラブの配置されていない部分の方形な炉床面積が最大となる第１規定位置に配置された第６の最大スラブＳの表示がカバーレシオを最大とする配置位置として選択され、第２規定位置に配置された第６の最大スラブＳの表示は消去される。
【００３５】
このようなバッチ炉スラブ配置方法を実施した結果、図７に示すように、カバーレシオは、それ以前の５５％程度から６０％程度に向上し、その結果、バーナへの燃料原単位を低減してバッチ炉燃料原単位を最小化することができた。
このように本実施形態のバッチ炉スラブ配置方法では、バッチ炉の炉床１にスラブＳを配置して加熱を行うにあたり、炉床１へのスラブＳの配置状態を設定するために演算機能及び表示機能を有するプロセスコンピュータ５によって実行する。その際、炉床面積に対する配置全スラブの占有面積の和の比をカバーレシオとしたとき、そのカバーレシオが最大となるように、炉床１へのスラブＳの配置状態を設定するための演算処理を行う。この演算処理では、特定スラブと組合せてバッチ炉内で加熱可能な組合せ可能スラブを抽出し、特定スラブ及び組合せ可能スラブの寸法から炉床に配置したときの各スラブの形状を図形化する。次に、特定スラブＳの予め設定された規定位置が、炉床１の予め設定された規定位置になるようにして、特定スラブＳを炉床１に配置して、その配置された特定スラブＳを図形化された状態で画面６の炉床１の上に表示する。次に、残りの組合せ可能スラブ群のうち、炉床１に配置した状態での占有面積が最大の組合せ可能スラブを最大スラブＳとして選出し、最大スラブＳの予め設定された規定位置が、炉床に先に配置されたスラブに対して予め設定された規定位置になるようにして、最大スラブＳを炉床１に配置して、その配置された最大スラブＳを図形化された状態で画面６の炉床１の上に表示し、最大スラブＳが図形化された状態で表示された場合には当該最大スラブＳを組合せ可能スラブ群から除外する。そして、画面６の炉床の上にスラブを配置できなくなるまで、最大スラブＳの選出から最大スラブＳの除外までを繰り返しす。そのため、バッチ炉の炉床面積を有効利用しながら、スラブ配置設定の自動計算が可能となり、効率化を図ることができる。
【００３６】
また、最大スラブＳの規定位置の対角位置がバッチ炉の炉壁２と干渉している場合、画面６の炉床１上の最大スラブＳの表示を消去してから当該最大スラブＳを組合せ可能スラブ群から除外する。そのため、バッチ炉の炉床１には、バッチ炉の炉壁２と干渉しないスラブＳが占有面積の大きい順に配置されることとなり、結果的にカバーレシオを最大にすることが可能となる。
【００３７】
また、最大スラブＳの予め設定された規定位置が、画面６の炉床１に先に配置されたスラブＳに対して予め設定された規定位置になるようにして、最大スラブＳを炉床１に配置する場合に、画面６の炉床１に先に配置されたスラブＳに対して、炉床１の予め設定された直交二方向の少なくとも一方向に予め設定された規定距離だけ離れて最大スラブが配置される位置を炉床１に先に配置されたスラブＳに対して予め設定された規定位置とする。そのため、炉床１に先に配置されたスラブＳに対して、炉幅方向又は炉長方向の何れかの方向に、占有面積の大きい順にスラブＳを配置することができ、これによりカバーレシオを最大とすることが可能となる。
【００３８】
また、炉床１に先に配置されたスラブＳに対する予め設定された規定位置が２以上あるとき、その夫々の規定位置に対して最大スラブＳを予め設定された規定姿勢で配置し、２以上の規定位置のうち、スラブＳの配置されていない部分の炉床１の方形な炉床面積が最大となる最大スラブＳの配置位置を選択する。そのため、次のスラブＳを配置する前の炉床面積を最大とすることができるから、次に炉床１に配置されるスラブＳの占有面積を大きくすることが可能となり、これによりカバーレシオを最大とすることが可能となる。
【００３９】
また、特定スラブＳの規定位置の対角位置がバッチ炉の炉壁２と干渉している場合、演算処理を終了する。そのため、特に管理や急を要する特定スラブＳについて、予め設定された規定姿勢で予め設定された規定位置に配置しても、当該特定スラブＳの規定位置の対角位置がバッチ炉の炉壁２と干渉するような場合、当該特定スラブＳを予め設定された規定姿勢と異なる姿勢で炉床１に配置することができ、そのような特定スラブＳについてもバッチ炉で加熱を行うことができる。
【符号の説明】
【００４０】
１  炉床
２  炉壁
３  バーナ
４  排気口
５  プロセスコンピュータ（計算機）
６  画面
Ｓ  スラブ
【図１】
0006052192.tif 000002
【図２】
0006052192.tif 000003
【図３】
0006052192.tif 000004
【図４】
0006052192.tif 000005
【図５】
0006052192.tif 000006
【図６】
0006052192.tif 000007
【図７】
0006052192.tif 000008